(57)【要約】      （修正有）【課題】バットが球の芯を捕らえないと極端に打球がずれるようなバット構造とし、ジャストミートの良否の判断が一目で確認でき、球の芯を捕らえるための正しいスイングの軌道習得に適し、打撃練習に適した野球打撃練習用バットを提供する。【解決手段】円筒形のバットであって、バットのスイートスポット３ｂからグリップ２側と先端３ａ側との所要長さに、円形から上下が圧縮された形の幅の狭い扁平部打撃ゾーン５を形成し、その扁平部打撃ゾーンの両側の湾曲する扁平部端外周面５ｂが打球部打撃面に構成されてなる野球打撃練習用バット。扁平打撃ゾーンの両側の湾曲する扁平部端外周面がボールの芯を捕らえないと前方に強い打球が返らなく、僅かでもずれると極端に打球の方向がずれるため、打球の良否の判断が容易となり、ボールの芯を捕らえるための正しいスイング軌道の習得を早期に行えるものである。【選択図】図１
0003159923.tif 000002
【実用新案登録請求の範囲】
【請求項１】
円筒形のバットであって、バットのスイートスポットからグリップ側と先端側との所要長さに、円形から上下が圧縮された形の幅の狭い扁平部打撃ゾーンを形成し、その扁平部打撃ゾーンの両側の湾曲する扁平部端外周面が打球部打撃面に構成されてなる野球打撃練習用バット。
【請求項２】
円筒形のバットであって、グリップの端面からバット本体の先端側への所要長さに打撃の中心となるスイートスポットがあり、このスイートスポットを中心にバット本体の先端の方向への所要長さとグリップの端面の方向への所要長さの範囲が打球部に少なくとも形成されるバットにおいて、その打球部の長手方向の所要長さを少なくともバットの中心軸に対して円形の上下の部分が対称に圧縮された形の扁平面に、幅の狭い両側が湾曲する扁平部端外周面に夫々形成されて扁平部打撃ゾーンが形成され、この扁平部打撃ゾーンの両側の湾曲する扁平部端外周面が打球部打撃面に構成されてなる野球打撃練習用バット。
【考案の詳細な説明】
【技術分野】
【０００１】
本考案は、野球の打撃練習において、バットにボールがジャストミートしたか否かが明らかに分る野球打撃練習用バットに関するものである。
【背景技術】
【０００２】
特許文献１には、従来の一般形状のバットにおいて、ボールの当たる部分を或る角度で両側から削り取りボールの接触する面を小さく形成した野球の打撃練習用バットが開示されている。
【０００３】
特許文献２には、バット本体のボールを打つ打撃部に少なくとも一個以上の平面部を形成したバッティング練習用バットが提案されている。
【先行技術文献】
【特許文献】
【０００４】
【特許文献１】実開昭５４−１２５７２号公報
【特許文献２】実開昭５８−１３３３７６号公報
【考案の概要】
【考案が解決しようとする課題】
【０００５】
特許文献１は、前述のように、従来の一般形状のバットにおいて、ボールの当たる部分を或る角度で両側から削り取ることによりボールとの接触する面を小さく形成するから、バットにおいて削り取られた部分と、削り取られない部分とは、部分的に重量に差ができ、バランスのないバットになり、バットのスイング時と、打撃時とにおいて、バランスが一般バットと異なり、スイング感覚、打撃感覚を異にし、練習の成果を一般バットに活用できない欠点がある。
【０００６】
特許文献２は、前述のように構成され、バット本体のボールを打つ打撃部に少なくとも一個以上の平面部を形成されるから、平面部とそれに続く湾曲面は、前記特許文献１と同様にバランスが悪くなるものである。したがって、前記特許文献１と同様の欠点がある。
【０００７】
本考案は、前記特許文献１、２における上記各欠点を夫々解消し、野球のトスバッティング時は勿論、フリーバッティング時において、バットにボールがジャストミートしたかを容易に認識させ、ジャストミート打撃フォームの早期習得に効果ある野球打撃練習用バットの提供を目的になされたものである。
【課題を解決するための手段】
【０００８】
円筒形のバットであって、バットのスイートスポットからグリップ側と先端側との所要長さに、円形から上下が圧縮された形の幅の狭い扁平部打撃ゾーンを形成し、その扁平部打撃ゾーンの両側の湾曲する扁平部端外周面が打球部打撃面に構成されてなる野球打撃練習用バットにある。
【０００９】
円筒形のバットであって、グリップの端面からバット本体の先端側への所要長さに打撃の中心となるスイートスポットがあり、このスイートスポットを中心にバット本体の先端の方向への所要長さとグリップの端面の方向への所要長さの範囲が打球部に少なくとも形成されるバットにおいて、その打球部の長手方向の所要長さを少なくともバットの中心軸に対して円形の上下の部分が対称に圧縮された形の扁平面に、幅の狭い両側が湾曲する扁平部端外周面に夫々形成されて扁平部打撃ゾーンが形成され、この扁平部打撃ゾーンの両側の湾曲する扁平部端外周面が打球部打撃面に構成されてなる野球打撃練習用バットとしてもよいものである。
【考案の効果】
【００１０】
本考案は、前述のように構成されているので、打球部に形成される扁平打撃ゾーンが軸を中心に対称形であるから一般のバットと同様のバランスを構成することができ、同様の感覚でスイングをすることができる。
【００１１】
野球用ボールの芯にバットの芯に当っているかどうか、ジャストミートの良否が打球の方向により容易に確認できる。すなわち、扁平打撃ゾーンの両側の湾曲する扁平部端外周面がボールの芯を捕らえないと前方に強い打球が返らなく、僅かでもずれると極端に打球の方向がずれるため、打球の良否の判断が容易となり、ボールの芯を捕らえるための正しいスイング軌道の習得を早期に行えるものである。
【図面の簡単な説明】
【００１２】
【図１】図１は、本考案の第１実施例の野球打撃練習用バットの全体側面図である。
【図２】図２は、同じく第１実施例の野球打撃練習用バットの全体平面図である。
【図３】図３は、同じく、図１のＡ−Ａ線に沿う拡大断面図である。
【図４】図４は、本考案の野球打撃練習用バットの第１実施例の野球打撃練習用バットにおいて、打球部の扁平体部を先端まで延長形成した変形実施例を示す全体側面図である。
【図５】図５は、本考案の野球打撃練習用バットの第２実施例の野球打撃練習用バットの全体平面図である。
【図６】図６は、同じく、第２実施例の野球打撃練習用バットの拡大左側面図である。
【図７】図７は、同じく、第２実施例の野球打撃練習用バットの拡大右側面図である。
【図８】図８は、同じく、図５のＢ−Ｂ線に沿う拡大断面図である。
【図９】図９は、従来の野球打撃練習用バットとボールの関係を示す説明図である。
【図１０】図１０は、本考案の野球打撃練習用バットとボールの関係を示す説明図である。
【考案を実施するための形態】
【００１３】
円筒形のバットであって、グリップの端面からバット本体の先端側への所要長さに打撃の中心となるスイートスポットがあり、このスイートスポットを中心にバット本体の先端の方向への所要長さとグリップの端面の方向への所要長さの範囲が打球部に形成されるバットにおいて、その打球部の長手方向の所要長さをバットの中心軸に対して円形の上下の部分が対称に圧縮された形の扁平面に、幅の狭い両側が湾曲する扁平部端外周面に夫々形成されて扁平部打撃ゾーンが形成され、この扁平部打撃ゾーンの両側の湾曲する扁平部端外周面が打球部打撃面に構成されてなる野球打撃練習用バット。
【実施例】
【００１４】
以下、本考案の野球打撃練習用バットを第１実施例の野球打撃練習用バット１を示す図１〜図３により説明すると、円筒形のバットであって、グリップ２の端面２ａからバット本体３の先端３ａ側へＬ１の長さに打撃の中心となるスイートスポット３ｂがあり、このスイートスポット３ｂを中心にバット本体３の先端３ａの方向へＬ２の長さとグリップ２の端面２ａの方向へＬ３の長さの範囲が打球部４に形成されるバットにおいて、その打球部４の長手方向の所要長さをバットの中心軸Ｘ１−Ｘ１に対して円形の上下の部分が圧縮された形の扁平面５ａ、５ａに、幅の狭い両側が円形のままの湾曲する扁平部端外周面５ｂ、５ｂに夫々形成されて扁平部打撃ゾーン５が形成され、この扁平部打撃ゾーン５の両側の湾曲する扁平部端外周面５ｂ、５ｂが打球部打撃面に構成されるものである。
【００１５】
前記第１実施例の扁平部打撃ゾーン５の扁平面５ａ、５ａは、図３に示すように、バットの中心軸Ｘ１−Ｘ１に直交しスイートスポット３ｂを通る直交軸Ｘ２−Ｘ２に対して上下に対称な面に形成され、また、両側の湾曲する扁平部端外周面５ｂ、５ｂは、打球部４の円形のままの同一の半径Ｒ１の外周面に形成され、扁平面５ａ、５ａとは小径アール面５ｃ、５ｃ、５ｃ、５ｃで接続される。なお、前記扁平部端外周面５ｂ、５ｂは、図示しないが、その断面形状が打球部４の円形のままの同一の半径ではなく上下に対称な円錐曲線形状の湾曲面であってもよいものである。
【００１６】
前記第１実施例の野球打撃練習用バット１において、全体を金属管製、強化樹脂製および木材により設けもよいものである。
【００１７】
前記第１実施例の野球打撃練習用バット１において、図４に示すように、扁平部打撃ゾーン５はバット本体３の先端３ａまで、打球部４を超えて形成されるものとしてもよいものである。
【００１８】
次に、第２実施例の野球打撃練習用バット６を図５〜図８により説明すると、円筒形のバットであって、グリップ７に接続するバット本体８を先端から長手方向に所要長さ円形の上下の部分が圧縮された形の扁平面９ａ、９ａに形成され、同時に幅の狭い両側が小径に湾曲されて扁平部端外周面９ｂ、９ｂに形成されて扁平部打撃ゾーン９が形成され、この扁平部打撃ゾーン９の両側の扁平部端外周面９ｂ、９ｂが打球部打撃面に構成されるものである。
【００１９】
前記第２実施例の野球打撃練習用バット６において、バット本体８の資材が金属管製である場合は、バット本体８は扁平部打撃ゾーン９に形成した後、その先端８ａの開口にキャップ８ｂを装着固定して設けてもよいものである。
【００２０】
本考案の第１実施例の野球打撃練習用バット１と第２実施例の野球打撃練習用バット６を製造するには、例えば、従来の金属管製のバット本体をプレスの上型と下型を扁平断面に合わせて製作し、扁平部打撃ゾーン５、扁平部打撃ゾーン９を扁平形に成型するプレス方式がある。樹脂管製の場合は、扁平形の芯型に強化樹脂材を巻回または積層して扁平部打撃ゾーン５、扁平部打撃ゾーン９を含めた全体を成型する。木材の場合は、扁平部打撃ゾーン５、扁平部打撃ゾーン９を円形材から削出して形成する。
【００２１】
従来のバット１０とボール１１の関係は、図９に示すようになり、従来のバット１０の芯にボール１１の芯が衝突すると理想的な打球となる。しかし、従来のバット１０の芯とボール１１の芯がずれても、従来のバット１０の外形幅が大きいために打球することができ、位置ずれにより方向に変化がなく飛ぶものである。
【００２２】
本考案の第１実施例の野球打撃練習用バット１または第２実施例の野球打撃練習用バット６とボール１２の関係は、図１０に示すようになる。そこで、それぞれ、扁平部端外周面５ｂ、５ｂと扁平部端外周面９ｂ、９ｂの湾曲面がボール１１の芯を捕らえないと、前方に強い打球が返らなく、僅かでもずれると極端に打球の方向がずれるため、打球の良否の判断が容易となり、ボールの芯を捕らえる正しいスイング軌道習得のための打撃練習に適するである。
【産業上の利用可能性】
【００２３】
本考案の野球打撃練習用バットは、野球用ボールの芯部にバットの芯に当っているかどうか、ジャストミートの良否が打球の方向により容易に確認でき、ジャストミートフォームの練習を効率的に行うことができる。金属管製、強化樹脂管製および木材製の野球用バットの需要を喚起し、スポーツ用品市場を活気づけるものである。
【符号の説明】
【００２４】
１  第１実施例の野球打撃練習用バット
２  グリップ
２ａ  端面
３  バット本体
３ａ  先端
３ｂ  スイートスポット
４  打球部
５  扁平部打撃ゾーン
５ａ  扁平面
５ｂ  扁平部端外周面
５ｃ  小径アール面
６  第２実施例の野球打撃練習用バット
７  グリップ
８  バット本体
８ａ  先端
８ｂ  キャップ
９  扁平部打撃ゾーン
９ａ  扁平面
９ｂ  扁平部端外周面
１０  従来のバット
１１  ボール
【図１】
0003159923.tif 000003
【図２】
0003159923.tif 000004
【図３】
0003159923.tif 000005
【図４】
0003159923.tif 000006
【図５】
0003159923.tif 000007
【図６】
0003159923.tif 000008
【図７】
0003159923.tif 000009
【図８】
0003159923.tif 000010
【図９】
0003159923.tif 000011
【図１０】
0003159923.tif 000012